(57)【要約】アナログ映像信号発生回路において、第１の電流加算型の差動出力Ｄ／ＡコンバータＤＡＣ４の反転出力端子ＮＤＡＯＵＴ４と、第２の電流加算型の差動出力Ｄ／ＡコンバータＤＡＣ５の反転出力端子ＮＤＡＯＵＴ５とが接続され、その接続点に、電流−電圧変換器、ＲＬ６と反転増幅器ＡＭＰの入力端子とが接続され、その反転増幅器ＡＭＰの出力端子が第１の映像信号出力端子ＣＯＭＰｏｕｔに接続される。この構成では、加算器を使用しないので、映像機器の価格を低減することができると共に、差動出力タイプの電流加算型Ｄ／ＡコンバータＤＡＣ４、ＤＡＣ５を使用するので、Ｄ／Ａコンバータで消費される電流は有効利用される。従って、加算器を用いずに部品コストが低減されると共に、電流加算型Ｄ／Ａコンバータ内で消費される電流が有効利用されて、低消費電力化が図られる。
2008012955.tif 000002
【特許請求の範囲】
【請求項１】
第１の映像信号が入力される第１の電流加算型の差動出力Ｄ／Ａコンバータと、
第２の映像信号が入力される第２の電流加算型の差動出力Ｄ／Ａコンバータと、
前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、
前記反転又は正転増幅器の出力端子が前記第１及び第２の映像信号を合成した合成映像信号を出力する第１の映像信号出力端子となる
ことを特徴とするアナログ映像信号発生回路。
【請求項２】
前記請求項１記載の映像信号発生回路において、
前記第１の映像信号はデジタル輝度信号であり、前記第２の映像信号はデジタルクロマ信号であり、前記合成映像信号がアナログコンポジット信号である
ことを特徴とするアナログ映像信号発生回路。
【請求項３】
前記請求項１記載の映像信号発生回路において、
前記第１の差動出力型Ｄ／Ａコンバータの正転及び反転出力端子のうち、前記接続点に接続されない反転又は正転出力端子には、第２の電流−電圧変換器と第２の映像信号出力端子とが接続され、
前記第２の差動出力型Ｄ／Ａコンバータの正転及び反転出力端子のうち、前記接続点に接続されない反転又は正転出力端子には、第３の電流−電圧変換器と第３の映像信号出力端子とが接続される
ことを特徴とするアナログ映像信号発生回路。
【請求項４】
前記請求項３記載の映像信号発生回路において、
前記第１の差動出力型Ｄ／Ａコンバータはデジタル輝度信号をアナログ輝度信号に変換し、
前記第２の差動出力型Ｄ／Ａコンバータはデジタルクロマ信号をアナログクロマ信号に変換し、
前記第１、第２及び第３の映像信号出力端子から、各々、アナログ輝度信号、アナログクロマ信号、及びアナログコンポジット信号が同時に出力される
ことを特徴とするアナログ映像信号発生回路。
【請求項５】
半導体集積回路上に形成され、３つ以上のデジタル映像信号を入力する３個以上の電流加算型Ｄ／Ａコンバータを有し、
前記３個以上の電流加算型Ｄ／Ａコンバータのうち、第１及び第２の電流加算型Ｄ／Ａコンバータは、共に、差動出力型であり、
前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、
前記反転又は正転増幅器の出力端子が、前記第１及び第２の電流加算型Ｄ／Ａコンバータに入力された映像信号をアナログ合成した映像信号を出力する第１の映像信号出力端子となる
ことを特徴とするアナログ映像信号発生回路。
【請求項６】
デジタル輝度信号から反転アナログ輝度信号電流を生成すると共に、デジタルクロマ信号から反転アナログクロマ信号電流を生成し、
その後、前記反転アナログ輝度信号電流と反転アナログクロマ信号電流とを加算し、
前記加算した後の電流を電流−電圧変換し、続いて反転増幅して、アナログコンポジット映像信号を発生する
ことを特徴とするアナログコンポジット映像信号発生方法。
【請求項７】
複数のデジタル信号が入力される複数個の電流加算型の差動出力Ｄ／Ａコンバータと、
前記複数個の電流加算型の差動出力Ｄ／Ａコンバータの正転出力端子同士又は反転出力端子同士が接続され、この接続点に接続された電流−電圧変換用の抵抗器及び反転又は正転増幅器とを備え、
前記反転又は正転増幅器の出力端子が、前記複数のデジタル信号をアナログ合成したアナログ信号を出力するアナログ信号出力端子となる
ことを特徴とするアナログ信号合成回路。
【請求項８】
複数のデジタル信号を各々Ｄ／Ａ変換及び反転して複数の反転アナログ信号電流を生成し、
その後、前記複数の反転アナログ信号電流を加算し、
前記加算した後の電流を電流−電圧変換し、続いて反転増幅して、アナログ信号を発生する
ことを特徴とするアナログ信号合成方法。
【請求項９】
第１の反転アナログ信号電流と第２の反転アナログ信号電流とを加算合成し、
その後、前記加算した後の電流を電流−電圧変換し、続いて反転増幅して、アナログ信号を発生する
ことを特徴とするアナログ信号合成方法。
【請求項１０】
前記請求項１又は６記載のアナログ映像信号発生回路を備えた
ことを特徴とする半導体集積回路。
【請求項１１】
前記請求項１又は６記載のアナログ映像信号発生回路を備えた
ことを特徴とする映像機器。
【発明の詳細な説明】
【技術分野】
【０００１】  本発明は、アナログ映像信号発生回路及びそれを搭載した映像機器に関するものであり、Ｄ／Ａコンバータで消費される電流を有効に利用しつつ、例えば輝度信号（Ｙ信号）とクロマ信号（Ｃ信号）とからコンポジット信号（ＣＯＭＰ信号）を合成することができ、より安価に映像機器を実現するためのものである。
【背景技術】
【０００２】  従来のアナログ映像信号発生回路について、図３〜図５を用いて説明する。【０００３】  図３は、従来のアナログ映像信号発生回路の第１の回路構成を示す図である。この技術は特許文献１に記載されている。【０００４】  図３において、Ｄ／ＡコンバータＤＡＣ１は、電流加算型であり、デジタル入力端子ＤＹ０〜ＤＹｎ、及びアナログ出力端子ＤＡＯＵＴ１を有しており、アナログ出力端子ＤＡＯＵＴ１には電流−電圧変換器ＲＬ１がＧＮＤ電源との間に接続され、更に、加算器ＭＩＸＥＲの一方の入力端子に接続されたうえで、アナログ映像信号出力端子Ｙｏｕｔに接続されている。【０００５】  同様に、Ｄ／ＡコンバータＤＡＣ２は、電流加算型であり、デジタル入力端子ＤＣ０〜ＤＣｎ、及びアナログ出力端子ＤＡＯＵＴ２を有しており、ＤＡＯＵＴ２には電流−電圧変換器ＲＬ２がＧＮＤ電源との間に接続され、更に、加算器ＭＩＸＥＲの他方の入力端子に接続されたうえで、アナログ映像出力端子Ｃｏｕｔに接続されている。そして、加算器ＭＩＸＥＲの出力端子は、アナログ映像出力端子ＣＯＭＰｏｕｔに接続されている。【０００６】  ここで、Ｄ／ＡコンバータＤＡＣ１、及びＤＡＣ２は、デジタル回路等と共に、半導体集積回路１内に形成されている。【０００７】  次に、その動作について、説明する。【０００８】  ｎ＋１ビットのデジタル輝度信号（Ｙ信号）は、デジタル入力端子ＤＹ０〜ＤＹｎに入力され、デジタル信号に対応したアナログＹ信号電流がＤＡＯＵＴ１端子より出力される。そして、アナログＹ信号電流は、電流−電圧変換器である出力負荷抵抗器ＲＬ１でアナログＹ信号電圧に変換され、アナログ映像信号出力端子Ｙｏｕｔから出力される。【０００９】  同様に、ｎ＋１ビットのデジタルクロマ信号（Ｃ信号）は、デジタル入力端子ＤＣ０〜ＤＣｎに入力され、デジタル信号に対応したアナログＣ信号電流がＤＡＯＵＴ２端子より出力される。そして、アナログＣ信号電流は、電流−電圧変換器である出力負荷抵抗器ＲＬ２でアナログＣ信号電圧に変換され、アナログ映像信号出力端子Ｃｏｕｔから出力される。【００１０】  更に、アナログＹ信号電圧とアナログＣ信号電圧とは、加算器ＭＩＸＥＲに入力されて合成され、コンポジット信号（ＣＯＭＰ信号）電圧となって、アナログ映像信号出力端子ＣＯＭＰｏｕｔから出力される。【００１１】  このようにして出力されるアナログＹ信号とアナログＣ信号とがペアで映像信号としてテレビ等での表示に使用される。一方、コンポジット信号も映像信号として他のテレビ等での表示に利用される。【００１２】  次に、図４は、従来におけるアナログ映像信号発生回路の第２の回路構成を示す図である。この技術は特許文献２に記載されている。【００１３】  図４において、Ｄ／ＡコンバータＤＡＣ１は、電流加算型であり、デジタル入力端子ＤＹ０〜ＤＹｎ、及びアナログ出力端子ＤＡＯＵＴ１を有しており、このアナログ出力端子ＤＡＯＵＴ１には電流−電圧変換器ＲＬ１がＧＮＤ電源との間に接続された上で、アナログ映像信号出力端子Ｙｏｕｔに接続されている。【００１４】  同様に、Ｄ／ＡコンバータＤＡＣ２は、電流加算型であり、デジタル入力端子ＤＣ０〜ＤＣｎ、及びアナログ出力端子ＤＡ���ＵＴ２を有しており、このアナログ出力端子ＤＡＯＵＴ２には電流−電圧変換器ＲＬ２がＧＮＤ電源との間に接続されたうえで、アナログ映像出力端子Ｃｏｕｔに接続されている。【００１５】  更に、Ｄ／ＡコンバータＤＡＣ３は、電流加算型であり、デジタル入力端子ＤＣＯＭＰ０〜ＤＣＯＭＰｎ、及びアナログ出力端子ＤＡＯＵＴ３を有しており、アナログ出力端子ＤＡＯＵＴ３には、電流−電圧変換器ＲＬ３がＧＮＤ電源との間に接続されると共に、アナログ映像出力端子ＣＯＭＰｏｕｔに接続されている。ここで、Ｄ／ＡコンバータＤＡＣ１〜ＤＡＣ３は、デジタル回路等と共に、半導体集積回路２内に形成されている。【００１６】  次に、その動作について、説明する。【００１７】  ｎ＋１ビットのデジタル輝度信号（Ｙ信号）は、デジタル入力端子ＤＹ０〜ＤＹｎに入力され、デジタル信号に対応したアナログＹ信号電流がアナログ出力端子ＤＡＯＵＴ１より出力される。そして、アナログＹ信号電流は、電流−電圧変換器である出力負荷抵抗器ＲＬ１でアナログＹ信号電圧に変換され、アナログ映像信号出力端子Ｙｏｕｔから出力される。【００１８】  同様に、ｎ＋１ビットのデジタルクロマ信号（Ｃ信号）は、デジタル入力端子ＤＣ０〜ＤＣｎに入力され、デジタル信号に対応したアナログＣ信号電流がアナログ出力端子ＤＡＯＵＴ２より出力される。そして、アナログＣ信号電流は、電流−電圧変換器である出力負荷抵抗器ＲＬ２で、アナログＣ信号電圧に変換され、アナログ映像信号出力端子Ｃｏｕｔから出力される。【００１９】  更に、前記デジタル輝度信号（Ｙ信号）及びデジタルクロマ信号（Ｃ信号）と共にビデオ機器やＤＶＤ装置等の内部にて生成されたｎ＋１ビットのデジタルコンポジット信号（ＣＯＭＰ信号）は、デジタル入力端子ＤＣＯＭＰ０〜ＤＣＯＭＰｎに入力され、デジタル信号に対応したアナログＣＯＭＰ信号電流がアナログ出力端子ＤＡＯＵＴ３より出力される。そして、アナログＣＯＭＰ信号電流は、電流−電圧変換器である出力負荷抵抗器ＲＬ３においてアナログＣＯＭＰ信号電圧に変換され、アナログ映像信号出力端子ＣＯＭＰｏｕｔから出力される。【００２０】  このようにして出力されるアナログＹ信号とアナログＣ信号とがペアで映像信号としてテレビ等の表示に使用される。一方、アナログＣＯＭＰ信号も映像信号として他のテレビ等の表示に利用される。【００２１】  ここで、以上の回路で用いられる電流加算型のＤ／ＡコンバータＤＡＣ１〜ＤＡＣ３は、シングルエンド出力型であり、その例を図５に示す。【００２２】  図５は、Ｄ／ＡコンバータＤＡＣ１の例であり、入力デジタル信号はデコーダＤＥＣＯＤＥＲでデコードされ、制御信号（Ｓ０、／Ｓ０）〜（Ｓｍ、／Ｓｍ）により複数の差動スイッチを制御することにより、電流源ＩＳ０〜ＩＳｍの電流をアナログ出力端子ＤＡＯＵＴ１側に流すか、ＧＮＤ側に流すかを切り替えている。アナログ出力端子ＤＡＯＵＴ１に電流が出力されない時には、電流源ＩＳ０〜ＩＳｍからの電流はＧＮＤへ流れ出すことになり、出力負荷抵抗ＲＬ１では消費されない。
【特許文献１】実用新案登録第２６０００３６号公報（図１、図２）
【特許文献２】米国特許第４６５２９３８明細書及び図面（ＦＩＧ２、ＦＩＧ４）
【発明の開示】
【発明が解決しようとする課題】
【００２３】  前記のように、従来におけるアナログ映像信号発生回路の第１の回路構成では、高価で構成が複雑な加算器が必要であり、また、第２の回路構成では、Ｄ／Ａコンバータが３個必要であるため、部品コストが高くつき、それらを搭載した映像機器が高価になってしまうという課題を有していた。【００２４】  同時に、シングルエンドの電流加算型Ｄ／Ａコンバータ（Ｃｕｒｒｅｎｔ  Ｓｔｅｅｒｉｎｇ  Ｄ／Ａ  Ｃｏｎｖｅｒｔｅｒ）を用いるため、ＧＮＤに電流を流す分、電流が効率良く使用されないという課題も有していた。【００２５】  本発明は、前記従来の課題を解決するものであり、その目的は、アナログ映像信号発生回路の部品コストを抑えて、映像機器の価格を低減すると共に、Ｄ／Ａコンバータで消費される電流を効率良く利用することにある。
【課題を解決するための手段】
【００２６】  前記の目的を達成するため、本発明では、例えば２種のデジタル信号を合成する場合には、電流加算型のＤ／Ａコンバータとして２個のみ設け、それ等を正転出力端子及び反転出力端子を持つ差動出力型で構成して、各Ｄ／Ａコンバータの正転出力端子は、通常通り、例えばアナログ輝度信号（Ｙ信号）出力用とアナログクロマ信号（Ｃ信号）出力用とすると共に、両Ｄ／Ａコンバータの反転又は正転出力端子同士を接続して、それ等の反転又は正転出力端子からの電流を加算し、その後、電流−電圧変換及び反転又は正転増幅することとする。【００２７】  すなわち、本発明に係るアナログ映像信号発生回路は、第１の映像信号が入力される第１の電流加算型の差動出力Ｄ／Ａコンバータと、第２の映像信号が入力される第２の電流加算型の差動出力Ｄ／Ａコンバータと、前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、前記反転又は正転増幅器の出力端子が前記第１及び第２の映像信号を合成した合成映像信号を出力する第１の映像信号出力端子となることを特徴とする。【００２８】  本発明は、前記映像信号発生回路において、前記第１の映像信号はデジタル輝度信号であり、前記第２の映像信号はデジタルクロマ信号であり、前記合成映像信号がアナログコンポジット信号であることを特徴とする。【００２９】  本発明は、前記映像信号発生回路において、前記第１の差動出力型Ｄ／Ａコンバータの正転及び反転出力端子のうち、前記接続点に接続されない反転又は正転出力端子には、第２の電流−電圧変換器と第２の映像信号出力端子とが接続され、前記第２の差動出力型Ｄ／Ａコンバータの正転及び反転出力端子のうち、前記接続点に接続されない反転又は正転出力端子には、第３の電流−電圧変換器と第３の映像信号出力端子とが接続されることを特徴とする。【００３０】  本発明は、前記映像信号発生回路において、前記第１の差動出力型Ｄ／Ａコンバータはデジタル輝度信号をアナログ輝度信号に変換し、前記第２の差動出力型Ｄ／Ａコンバータはデジタルクロマ信号をアナログクロマ信号に変換し、前記第１、第２及び第３の映像信号出力端子から、各々、アナログ輝度信号、アナログクロマ信号、及びアナログコンポジット信号が同時に出力されることを特徴とする。【００３１】  本発明のアナログ映像信号発生回路は、半導体集積回路上に形成され、３つ以上のデジタル映像信号を入力する３個以上の電流加算型Ｄ／Ａコンバータを有し、前記３個以上の電流加算型Ｄ／Ａコンバータのうち、第１及び第２の電流加算型Ｄ／Ａコンバータは、共に、差動出力型であり、前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、前記反転又は正転増幅器の出力端子が、前記第１及び第２の電流加算型Ｄ／Ａコンバータに入力された映像信号をアナログ合成した映像信号を出力する第１の映像信号出力端子となることを特徴とする。【００３２】  本発明のアナログコンポジット映像信号発生方法���、デジタル輝度信号から反転アナログ輝度信号電流を生成すると共に、デジタルクロマ信号から反転アナログクロマ信号電流を生成し、その後、前記反転アナログ輝度信号電流と反転アナログクロマ信号電流とを加算し、前記加算した後の電流を電流−電圧変換し、続いて反転増幅して、アナログコンポジット映像信号を発生することを特徴とする。【００３３】  本発明のアナログ信号合成回路は、複数のデジタル信号が入力される複数個の電流加算型の差動出力Ｄ／Ａコンバータと、前記複数個の電流加算型の差動出力Ｄ／Ａコンバータの正転出力端子同士又は反転出力端子同士が接続され、この接続点に接続された電流−電圧変換用の抵抗器及び反転又は正転増幅器とを備え、前記反転又は正転増幅器の出力端子が、前記複数のデジタル信号をアナログ合成したアナログ信号を出力するアナログ信号出力端子となることを特徴とする。【００３４】  本発明のアナログ信号合成方法は、複数のデジタル信号を各々Ｄ／Ａ変換及び反転して複数の反転アナログ信号電流を生成し、その後、前記複数の反転アナログ信号電流を加算し、前記加算した後の電流を電流−電圧変換し、続いて反転増幅して、アナログ信号を発生することを特徴とする。【００３５】  本発明のアナログ信号合成方法は、第１の反転アナログ信号電流と第２の反転アナログ信号電流とを加算合成し、その後、前記加算した後の電流を電流−電圧変換し、続いて反転増幅して、アナログ信号を発生することを特徴とする。【００３６】  本発明の半導体集積回路は、前記アナログ映像信号発生回路を備えたことを特徴とする。【００３７】  本発明の映像機器は、前記のアナログ映像信号発生回路を備えたことを特徴とする。【００３８】  以上により、本発明のアナログ映像信号発生回路等では、第１の電流加算型の差動出力Ｄ／Ａコンバータの反転出力端子からの例えば反転アナログ輝度信号（Ｙ信号）電流と、第２の電流加算型の差動出力Ｄ／Ａコンバータの反転出力端子からの例えば反転アナログクロマ信号（Ｃ信号）電流とが加算され、その後、その加算後の電流が電流−電圧変換器で電圧に変換され、反転又は正転増幅器で反転又は正転増幅されて、例えばアナログコンポジット信号（ＣＯＭＰ信号）が生成される。従って、高価な加算器を使用せずに済むと共に、電流加算型の２個の差動出力型Ｄ／Ａコンバータの反転出力端子からの電流、すなわち、従来の図５に示したシングルエンドの電流加算型のＤ／ＡコンバータのＧＮＤ端子からグランドに流していた電流を利用するので、Ｄ／Ａコンバータ内部で消費される電流は有効利用される。
【発明の効果】
【００３９】  以上説明したように、本発明のアナログ映像信号発生回路等によれば、加算器を使用することなく、且つ電流加算型のＤ／Ａコンバータから電流をＧＮＤ電源に流すことなく、複数のアナログ信号を合成できるので、部品コストを低減できると共に、電流加算型のＤ／Ａコンバータが流す電流を有効利用して、従来と同様の容量の電流加算型Ｄ／Ａコンバータを用いつつ低消費電力化を図ることができる。
【図面の簡単な説明】
【００４０】
【図１】図１は本発明の実施形態１に係るアナログ映像信号発生回路を示す図である。
【図２】図２は電流加算型の差動出力Ｄ／Ａコンバータの回路例を示す図である。
【図３】図３は従来のアナログ映像信号発生回路を示す図である。
【図４】図４は従来の他のアナログ映像信号発生回路を示す図である。
【図５】図５は従来のシングルエンドの電流加算型Ｄ／Ａコンバータの回路例を示す図である。
【符号の説明】
【００４１】  ３                        半導体集積回路
ＤＡＣ４、ＤＡＣ５              電流加算型の差動出力Ｄ／Ａコンバータ
ＤＡＯＵＴ４、ＤＡＯＵＴ５          正転アナログ出力端子
ＮＤＡＯＵＴ４、ＮＤＡＯＵＴ５        反転アナログ出力端子
ＤＹ０〜ＤＹｎ                デジタルＹ信号入力端子
ＤＣ０〜ＤＣｎ                デジタルＣ信号入力端子
ＤＣＯＭＰ０〜ＤＣＯＭＰｎ        デジタルＣＯＭＰ信号入力端子
ＲＬ４〜ＲＬ６                  電流−電圧変換器
ＧＮＤ                        グランド電位
ＡＭＰ                        反転増幅器
Ｙｏｕｔ                      アナログＹ信号出力端子
Ｃｏｕｔ                      アナログＣ信号出力端子
ＣＯＭＰｏｕｔ                アナログＣＯＭＰ信号出力端子
【発明を実施するための最良の形態】
【００４２】  以下、本発明を実施するための最良の形態について、図面を参照しながら説明する。【００４３】  （実施形態１）
図１は、本発明の実施形態１によるアナログ映像信号発生回路を示した図である。【００４４】  図１において、第１のＤ／ＡコンバータＤＡＣ４は、差動出力タイプの電流加算型であり、デジタル入力端子ＤＹ０〜ＤＹｎ、及びアナログ正転出力端子ＤＡＯＵＴ４とアナログ反転出力端子ＮＤＡＯＵＴ４とを有している。【００４５】  同様に、第２のＤ／ＡコンバータＤＡＣ５は、差動出力タイプの電流加算型であり、デジタル入力端子ＤＣ０〜ＤＣｎ、及びアナログ正転出力端子ＤＡＯＵＴ５とアナログ反転出力端子ＮＤＡＯＵＴ５とを有している。【００４６】  前記第１のＤ／ＡコンバータＤＡＣ４のアナログ反転出力端子ＮＤＡＯＵＴ４と第２のＤ／ＡコンバータＤＡＣ５のアナログ反転出力端子ＮＤＡＯＵＴ５とは相互に接続されて、その接続点に、抵抗器より成る第１の電流−電圧変換器ＲＬ６がＧＮＤ電源との間に接続されると共に、反転増幅器ＡＭＰの入力端子が接続される。前記反転増幅器ＡＭＰの出力端子は、アナログ映像出力端子（第１の映像信号出力端子）ＣＯＭＰｏｕｔに接続される。【００４７】  更に、前記第１のＤ／ＡコンバータＤＡＣ４において、アナログ正転出力端子ＤＡＯＵＴ４には、抵抗器より成る第２の電流−電圧変換器ＲＬ４がＧＮＤ電源との間に接続されると共に、アナログ映像信号出力端子（第２の映像信号出力端子）Ｙｏｕｔが接続されている。【００４８】  同様に、前記第２のＤ／ＡコンバータＤＡＣ５において、アナログ正転出力端子ＤＡＯＵＴ５には、抵抗器より成る第３の電流−電圧変換器ＲＬ５がＧＮＤ電源との間に接続されると共に、アナログ映像信号出力端子（第３の映像信号出力端子）Ｃｏｕｔが接続されている。【００４９】  以上のように構成された本実施形態に係るアナログ映像信号発生回路は、例えばテレビ、カーナビ、モニター、ビデオ機器やＤＶＤ装置又は次世代ＤＶＤ（Ｂｌｕ−ｒａｙ、ＨＤ  ＤＶＤ等）装置に搭載される。以下、前記アナログ映像信号発生回路について、その動作を説明する。【００５０】  先ず、デジタル入力端子ＤＹ０〜ＤＹｎには、デジタル映像信号であるデジタル輝度信号（Ｙ信号）（第１の映像信号）が入力され、第１のＤ／ＡコンバータＤＡＣ４でＤ／Ａ変換されて、アナログ正転出力端子ＤＡＯＵＴ４にアナログ輝度信号電流が出力される。アナログ輝度信号電流は、電流−電圧変換器である抵抗器ＲＬ４でアナログ輝度信号電圧に変換され、アナログ映像信号出力端子Ｙｏｕｔから出力される。【００５１】  同様に、デジタル入力端子ＤＣ０〜ＤＣｎには、デジタル映像信号であるデジタルクロマ信号（Ｃ信号）（第２の映像信号）が入力され、第２のＤ／ＡコンバータＤＡＣ５でＤ／Ａ変換され、アナログ正転出力端子ＤＡＯＵＴ５にアナログクロマ信号電流が出力される。アナログクロマ信号電流は、電流−電圧変換器である抵抗器ＲＬ５でアナログクロマ信号電圧に変換され、アナログ映像信号出力端子Ｃｏｕｔから出力される。【００５２】  同時に、Ｄ／ＡコンバータＤＡＣ４のアナログ反転出力端子ＮＤＡＯＵＴ４からは、アナログ輝度信号を反転した反転アナログ輝度信号電流が生成されて出力され、Ｄ／ＡコンバータＤＡＣ５のアナログ反転出力端子ＮＤＡＯＵＴ５からは、アナログクロ���信号を反転した反転アナログクロマ信号電流が生成されて出力される。２個のＤ／ＡコンバータＤＡＣ４、ＤＡＣ５のアナログ反転出力端子ＮＤＡＯＵＴ４、ＮＤＡＯＵＴ５同士は接続されているので、アナログ反転輝度信号電流とアナログ反転クロマ信号電流とは加算合成されて、アナログ反転コンポジット信号（合成映像信号）電流となり、電流−電圧変換器である抵抗器ＲＬ６でアナログ反転コンボジット信号電圧に変換され、ＡＭＰで反転増幅されて、アナログ映像信号出力端子ＣＯＭＰｏｕｔからアナログコンポジット信号として出力される。【００５３】  そして、アナログ輝度信号とアナログクロマ信号とがペアで映像信号としてテレビ等の映像機器において映像を映し出すのに利用されると同時に、アナログコンポジット信号も、他のテレビ等の映像機器において映像を映し出すのに使用される。【００５４】  以上のように、本実施形態に係るアナログ映像信号発生回路は、Ｄ／ＡコンバータＤＡＣ４、ＤＡＣ５で消費される電流を有効に利用しつつ、Ｙ信号及びＣ信号よりＣＯＭＰ信号を合成することができ、より安価に映像機器を実現することができる。【００５５】  ここで、使用される電流加算型の差動出力Ｄ／ＡコンバータＤＡＣ４、ＤＡＣ５の一構成例を図２に示す。【００５６】  図２は、電流加算型の差動出力Ｄ／ＡコンバータＤＡＣ４の例を示し、入力デジタル信号はデコーダＤＥＣＯＤＥＲでデコードされた後、ｍ＋１個の制御信号（Ｓ０、／Ｓ０）〜（Ｓｍ、／Ｓｍ）により複数の差動スイッチを制御することにより、ｍ＋１個の電流源ＩＳ０〜ＩＳｍの電流を正転出力端子ＤＡＯＵＴ４側に流すか、反転出力端子ＮＤＡＯＵＴ４側に流すかを切り替えている。正転出力端子ＤＡＯＵＴ４に電流が出力される場合には、電流は出力負荷抵抗器ＲＬ４で消費され、反転出力端子ＮＤＡＯＵＴ４に電流が出力される場合には、電流は出力負荷抵抗器ＲＬ６で消費され、何れの場合も、有効に利用される。【００５７】  このように、本実施形態では、Ｄ／Ａコンバータで消費される電流を効率良く利用できるという効果も、同時に有する。【００５８】  尚、以上の説明では、第１及び第２のＤ／ＡコンバータＤＡＣ４、ＤＡＣ５のアナログ反転出力端子ＮＤＡＯＵＴ４、ＮＤＡＯＵＴ５同士を接続したが、逆にアナログ正転出力端子ＤＡＯＵＴ４、ＤＡＯＵＴ５同士を接続しても良いのは勿論である。【００５９】  更に、本実施形態では、Ｄ／Ａコンバータは、デジタル回路等を含めて、半導体集積回路３内に形成されているが、勿論、全ての回路を半導体集積回路３内に形成しても良い。【００６０】  また、本実施形態では、反転増幅器ＡＭＰはゲインを持たない−１倍の増幅器としたが、１以外のゲインをもった反転増幅器としても良い。更に、反転増幅器ＡＭＰを正転増幅器としても良いのは言うまでもない。【００６１】  更に、本実施形態では、２個の電流加算型の差動出力Ｄ／ＡコンバータＤＡＣ４、ＤＡＣ５を用いて、デジタル輝度信号（Ｙ信号）とデジタルクロマ信号（Ｃ信号）とをＤ／Ａ変換した後に加算合成してアナログ反転コンポジット信号を生成するアナログ映像信号発生回路について説明したが、本発明はこのような映像用のコンポジット信号の合成に限定されず���３個以上の電流加算型の差動出力Ｄ／Ａコンバータを用いて、３以上のデジタル信号をＤ／Ａ変換した後に加算合成してアナログ信号を生成するアナログ信号合成回路としても良いのは勿論である。
【産業上の利用可能性】
【００６２】  以上説明したように、本発明は、電流加算型Ｄ／Ａコンバータで消費される電流を有効に利用しつつ、複数のアナログ信号を合成した１つの信号を生成することができるので、部品コストを抑えて低価格で消費電力の小さいアナログ映像信号発生回路、半導体集積回路、及び映像機器等に適用して有用である。
【図１】
2008012955.tif 000003
【図２】
2008012955.tif 000004
【図３】
2008012955.tif 000005
【図４】
2008012955.tif 000006
【図５】
2008012955.tif 000007
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
第１の映像信号が入力される第１の電流加算型の差動出力Ｄ／Ａコンバータと、
第２の映像信号が入力される第２の電流加算型の差動出力Ｄ／Ａコンバータと、
前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、
前記反転又は正転増幅器の出力端子が前記第１及び第２の映像信号を合成した合成映像信号を出力する第１の映像信号出力端子となる
ことを特徴とするアナログ映像信号発生回路。
【請求項２】
前記請求項１記載の映像信号発生回路において、
前記第１の映像信号はデジタル輝度信号であり、前記第２の映像信号はデジタルクロマ信号であり、前記合成映像信号がアナログコンポジット信号である
ことを特徴とするアナログ映像信号発生回路。
【請求項３】
前記請求項１記載の映像信号発生回路において、
前記第１の差動出力型Ｄ／Ａコンバータの正転及び反転出力端子のうち、前記接続点に接続されない反転又は正転出力端子には、第２の電流−電圧変換器と第２の映像信号出力端子とが接続され、
前記第２の差動出力型Ｄ／Ａコンバータの正転及び反転出力端子のうち、前記接続点に接続されない反転又は正転出力端子には、第３の電流−電圧変換器と第３の映像信号出力端子とが接続される
ことを特徴とするアナログ映像信号発生回路。
【請求項４】
前記請求項３記載の映像信号発生回路において、
前記第１の差動出力型Ｄ／Ａコンバータはデジタル輝度信号をアナログ輝度信号に変換し、
前記第２の差動出力型Ｄ／Ａコンバータはデジタルクロマ信号をアナログクロマ信号に変換し、
前記第１、第２及び第３の映像信号出力端子から、各々、アナログ輝度信号、アナログクロマ信号、及びアナログコンポジット信号が同時に出力される
ことを特徴とするアナログ映像信号発生回路。
【請求項５】
半導体集積回路上に形成され、３つ以上のデジタル映像信号を入力する３個以上の電流加算型Ｄ/Ａコンバータを有し、
前記３個以上の電流加算型Ｄ/Ａコンバータのうち、第１及び第２の電流加算型Ｄ／Ａコンバータは、共に、差動出力型であり、
前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、
前記反転又は正転増幅器の出力端子が、前記第１及び第２の電流加算型Ｄ／Ａコンバータに入力された映像信号をアナログ合成した映像信号を出力する第１の映像信号出力端子となる
ことを特徴とするアナログ映像信号発生回路。
【請求項６】
デジタル輝度信号から反転アナログ輝度信号電流を生成すると共に、デジタルクロマ信号から反転アナログクロマ信号電流を生成し、
その後、前記反転アナログ輝度信号電流と反転アナログクロマ信号電流とを加算し、
前記加算した後の電流を電流−電圧変換し、続いて反転増幅して、アナログコンポジット映像信号を発生する
ことを特徴とするアナログコンポジット映像信号発生方法。
【請求項７】
複数のデジタル信号が入力される複数個の電流加算型の差動出力Ｄ/Ａコンバータと、
前記複数個の電流加算型の差動出力Ｄ／Ａコンバータの正転出力端子同士又は反転出力端子同士が接続され、この接続点に接続された電流−電圧変換用の抵抗器及び反転又は正転増幅器とを備え、
前記反転又は正転増幅器の出力端子が、前記複数のデジタル信号をアナログ合成したアナログ信号を出力するアナログ信号出力端子となる
ことを特徴とするアナログ信号合成回路。
【請求項８】
複数のデジタル信号を各々Ｄ／Ａ変換及び反転して複数の反転アナログ信号電流を生成し、
その後、前記複数の反転アナログ信号電流を加算し、
前記加算した後の電流を電流−電圧変換し、続いて反転増幅して、アナログ信号を発生する
ことを特徴とするアナログ信号合成方法。
【請求項９】
第１の反転アナログ信号電流と第２の反転アナログ信号電流とを加算合成し、
その後、前記加算した後の電流を電流−電圧変換し、続いて反転増幅して、アナログ信号を発生する
ことを特徴とするアナログ信号合成方法。
【請求項１０】
前記請求項１又は６記載のアナログ映像信号発生回路を備えた
ことを特徴とする半導体集積回路。
【請求項１１】
前記請求項１又は６記載のアナログ映像信号発生回路を備えた
ことを特徴とする映像機器。
【手続補正２】
【補正対象書類名】明細書
【補正対象項目名】全文
【補正方法】変更
【補正の内容】
【発明の詳細な説明】
【技術分野】
【０００１】
本発明は、アナログ映像信号発生回路及びそれを搭載した映像機器に関するものであり、Ｄ／Ａコンバータで消費される電流を有効に利用しつつ、例えば輝度信号（Ｙ信号）とクロマ信号（Ｃ信号）とからコンポジット信号（ＣＯＭＰ信号）を合成することができ、より安価に映像機器を実現するためのものである。
【背景技術】
【０００２】
従来のアナログ映像信号発生回路について、図３〜図５を用いて説明する。
【０００３】
図３は、従来のアナログ映像信号発生回路の第１の回路構成を示す図である。この技術は特許文献１に記載されている。
【０００４】
図３において、Ｄ／ＡコンバータＤＡＣ１は、電流加算型であり、デジタル入力端子ＤＹ０〜ＤＹｎ、及びアナログ出力端子ＤＡＯＵＴ１を有しており、アナログ出力端子ＤＡＯＵＴ１には電流−電圧変換器ＲＬ１がＧＮＤ電源との間に接続され、更に、加算器ＭＩＸＥＲの一方の入力端子に接続されたうえで、アナログ映像信号出力端子Ｙｏｕｔに接続されている。
【０００５】
同様に、Ｄ／ＡコンバータＤＡＣ２は、電流加算型であり、デジタル入力端子ＤＣ０〜ＤＣｎ、及びアナログ出力端子ＤＡＯＵＴ２を有しており、ＤＡＯＵＴ２には電流−電圧変換器ＲＬ２がＧＮＤ電源との間に接続され、更に、加算器ＭＩＸＥＲの他方の入力端子に接続されたうえで、アナログ映像出力端子Ｃｏｕｔに接続されている。そして、加算器ＭＩＸＥＲの出力端子は、アナログ映像出力端子ＣＯＭＰｏｕｔに接続されている。
【０００６】
ここで、Ｄ／ＡコンバータＤＡＣ１、及びＤＡＣ２は、デジタル回路等と共に、半導体集積回路１内に形成されている。
【０００７】
次に、その動作について、説明する。
【０００８】
ｎ＋１ビットのデジタル輝度信号（Ｙ信号）は、デジタル入力端子ＤＹ０〜ＤＹｎに入力され、デジタル信号に対応したアナログＹ信号電流がＤＡＯＵＴ１端子より出力される。そして、アナログＹ信号電流は、電流−電圧変換器である出力負荷抵抗器ＲＬ１でアナログＹ信号電圧に変換され、アナログ映像信号出力端子Ｙｏｕｔから出力される。
【０００９】
同様に、ｎ＋１ビットのデジタルクロマ信号（Ｃ信号）は、デジタル入力端子ＤＣ０〜ＤＣｎに入力され、デジタル信号に対応したアナログＣ信号電流がＤＡＯＵＴ２端子より出力される。そして、アナログＣ信号電流は、電流−電圧変換器である出力負荷抵抗器ＲＬ２でアナログＣ信号電圧に変換され、アナログ映像信号出力端子Ｃｏｕｔから出力される。
【００１０】
更に、アナログＹ信号電圧とアナログＣ信号電圧とは、加算器ＭＩＸＥＲに入力されて合成され、コンポジット信号（ＣＯＭＰ信号）電圧となって、アナログ映像信号出力端子ＣＯＭＰｏｕｔから出力される。
【００１１】
このようにして出力されるアナログＹ信号とアナログＣ信号とがペアで映像信号としてテレビ等での表示に使用される。一方、コンポジット信号も映像信号として他のテレビ等での表示に利用される。
【００１２】
次に、図４は、従来におけるアナログ映像信号発生回路の第２の回路構成を示す図である。この技術は特許文献２に記載されている。
【００１３】
図４において、Ｄ／ＡコンバータＤＡＣ１は、電流加算型であり、デジタル入力端子ＤＹ０〜ＤＹｎ、及びアナログ出力端子ＤＡＯＵＴ１を有しており、このアナログ出力端子ＤＡＯＵＴ１には電流−電圧変換器ＲＬ１がＧＮＤ電源との間に接続された上で、アナログ映像信号出力端子Ｙｏｕｔに接続されている。
【００１４】
同様に、Ｄ／ＡコンバータＤＡＣ２は、電流加算型であり、デジタル入力端子ＤＣ０〜ＤＣｎ、及びアナログ出力端子ＤＡＯＵＴ２を有しており、このアナログ出力端子ＤＡＯＵＴ２には電流−電圧変換器ＲＬ２がＧＮＤ電源との間に接続されたうえで、アナログ映像出力端子Ｃｏｕｔに接続されている。
【００１５】
更に、Ｄ／ＡコンバータＤＡＣ３は、電流加算型であり、デジタル入力端子ＤＣＯＭＰ０〜ＤＣＯＭＰｎ、及びアナログ出力端子ＤＡＯＵＴ３を有しており、アナログ出力端子ＤＡＯＵＴ３には、電流−電圧変換器ＲＬ３がＧＮＤ電源との間に接続されると共に、アナログ映像出力端子ＣＯＭＰｏｕｔに接続されている。ここで、Ｄ／ＡコンバータＤＡＣ１〜ＤＡＣ３は、デジタル回路等と共に、半導体集積回路２内に形成されている。
【００１６】
次に、その動作について、説明する。
【００１７】
ｎ＋１ビットのデジタル輝度信号（Ｙ信号）は、デジタル入力端子ＤＹ０〜ＤＹｎに入力され、デジタル信号に対応したアナログＹ信号電流がアナログ出力端子ＤＡＯＵＴ１より出力される。そして、アナログＹ信号電流は、電流−電圧変換器である出力負荷抵抗器ＲＬ１でアナログＹ信号電圧に変換され、アナログ映像信号出力端子Ｙｏｕｔから出力される。
【００１８】
同様に、ｎ＋１ビットのデジタルクロマ信号（Ｃ信号）は、デジタル入力端子ＤＣ０〜ＤＣｎに入力され、デジタル信号に対応したアナログＣ信号電流がアナログ出力端子ＤＡＯＵＴ２より出力される。そして、アナログＣ信号電流は、電流−電圧変換器である出力負荷抵抗器ＲＬ２で、アナログＣ信号電圧に変換され、アナログ映像信号出力端子Ｃｏｕｔから出力される。
【００１９】
更に、前記デジタル輝度信号（Ｙ信号）及びデジタルクロマ信号（Ｃ信号）と共にビデオ機器やＤＶＤ装置等の内部にて生成されたｎ＋１ビットのデジタルコンポジット信号（ＣＯＭＰ信号）は、デジタル入力端子ＤＣＯＭＰ０〜ＤＣＯＭＰｎに入力され、デジタル信号に対応したアナログＣＯＭＰ信号電流がアナログ出力端子ＤＡＯＵＴ３より出力される。そして、アナログＣＯＭＰ信号電流は、電流−電圧変換器である出力負荷抵抗器ＲＬ３においてアナログＣＯＭＰ信号電圧に変換され、アナログ映像信号出力端子ＣＯＭＰｏｕｔから出力される。
【００２０】
このようにして出力されるアナログＹ信号とアナログＣ信号とがペアで映像信号としてテレビ等の表示に使用される。一方、アナログＣＯＭＰ信号も映像信号として他のテレビ等の表示に利用される。
【００２１】
ここで、以上の回路で用いられる電流加算型のＤ／ＡコンバータＤＡＣ１〜ＤＡＣ３は、シングルエンド出力型であり、その例を図５に示す。
【００２２】
図５は、Ｄ／ＡコンバータＤＡＣ１の例であり、入力デジタル信号はデコーダＤＥＣＯＤＥＲでデコードされ、制御信号（Ｓ０、／Ｓ０）〜（Ｓｍ、／Ｓｍ）により複数の差動スイッチを制御することにより、電流源ＩＳ０〜ＩＳｍの電流をアナログ出力端子ＤＡＯＵＴ１側に流すか、ＧＮＤ側に流すかを切り替えている。アナログ出力端子ＤＡＯＵＴ１に電流が出力されない時には、電流源ＩＳ０〜ＩＳｍからの電流はＧＮＤへ流れ出すことになり、出力負荷抵抗ＲＬ１では消費されない。
【特許文献１】実用新案登録第２６０００３６号公報（図１、図２）
【特許文献２】米国特許第４６５２９３８明細書及び図面（FIG２、FIG４）
【発明の開示】
【発明が解決しようとする課題】
【００２３】
前記のように、従来におけるアナログ映像信号発生回路の第１の回路構成では、高価で構成が複雑な加算器が必要であり、また、第２の回路構成では、Ｄ／Ａコンバータが３個必要であるため、部品コストが高くつき、それらを搭載した映像機器が高価になってしまうという課題を有していた。
【００２４】
同時に、シングルエンドの電流加算型Ｄ／Ａコンバータ（Current Steering D/A Converter）を用いるため、ＧＮＤに電流を流す分、電流が効率良く使用されないという課題も有していた。
【００２５】
本発明は、前記従来の課題を解決するものであり、その目的は、アナログ映像信号発生回路の部品コストを抑えて、映像機器の価格を低減すると共に、Ｄ／Ａコンバータで消費される電流を効率良く利用することにある。
【課題を解決するための手段】
【００２６】
前記の目的を達成するため、本発明では、例えば２種のデジタル信号を合成する場合には、電流加算型のＤ／Ａコンバータとして２個のみ設け、それ等を正転出力端子及び反転出力端子を持つ差動出力型で構成して、各Ｄ／Ａコンバータの正転出力端子は、通常通り、例えばアナログ輝度信号（Ｙ信号）出力用とアナログクロマ信号（Ｃ信号）出力用とすると共に、両Ｄ／Ａコンバータの反転又は正転出力端子同士を接続して、それ等の反転又は正転出力端子からの電流を加算し、その後、電流−電圧変換及び反転又は正転増幅することとする。
【００２７】
すなわち、請求項１記載の発明に係るアナログ映像信号発生回路は、第１の映像信号が入力される第１の電流加算型の差動出力Ｄ／Ａコンバータと、第２の映像信号が入力される第２の電流加算型の差動出力Ｄ／Ａコンバータと、前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、前記反転又は正転増幅器の出力端子が前記第１及び第２の映像信号を合成した合成映像信号を出力する第１の映像信号出力端子となることを特徴とする。
【００２８】
請求項２記載の発明は、前記請求項１記載の映像信号発生回路において、前記第１の映像信号はデジタル輝度信号であり、前記第２の映像信号はデジタルクロマ信号であり、前記合成映像信号がアナログコンポジット信号であることを特徴とする。
【００２９】
請求項３記載の発明は、前記請求項１記載の映像信号発生回路において、前記第１の差動出力型Ｄ／Ａコンバータの正転及び反転出力端子のうち、前記接続点に接続されない反転又は正転出力端子には、第２の電流−電圧変換器と第２の映像信号出力端子とが接続され、前記第２の差動出力型Ｄ／Ａコンバータの正転及び反転出力端子のうち、前記接続点に接続されない反転又は正転出力端子には、第３の電流−電圧変換器と第３の映像信号出力端子とが接続されることを特徴とする。
【００３０】
請求項４記載の発明は、前記請求項３記載の映像信号発生回路において、前記第１の差動出力型Ｄ／Ａコンバータはデジタル輝度信号をアナログ輝度信号に変換し、前記第２の差動出力型Ｄ／Ａコンバータはデジタルクロマ信号をアナログクロマ信号に変換し、前記第１、第２及び第３の映像信号出力端子から、各々、アナログ輝度信号、アナログクロマ信号、及びアナログコンポジット信号が同時に出力されることを特徴とする。
【００３１】
請求項５記載の発明のアナログ映像信号発生回路は、半導体集積回路上に形成され、３つ以上のデジタル映像信号を入力する３個以上の電流加算型Ｄ/Ａコンバータを有し、前記３個以上の電流加算型Ｄ/Ａコンバータのうち、第１及び第２の電流加算型Ｄ／Ａコンバータは、共に、差動出力型であり、前記第１及び第２の電流加算型の差動出力Ｄ／Ａコンバータの正転出力端子同士又は反転出力端子同士が接続され、この接続点に接続された第１の電流−電圧変換器及び反転又は正転増幅器とを備え、前記反転又は正転増幅器の出力端子が、前記第１及び第２の電流加算型Ｄ／Ａコンバータに入力された映像信号をアナログ合成した映像信号を出力する第１の映像信号出力端子となることを特徴とする。
【００３２】
請求項６記載の発明のアナログコンポジット映像信号発生方法は、デジタル輝度信号から反転アナログ輝度信号電流を生成すると共に、デジタルクロマ信号から反転アナログクロマ信号電流を生成し、その後、前記反転アナログ輝度信号電流と反転アナログクロマ信号電流とを加算し、前記加算した後の電流を電流−電圧変換し、続いて反転増幅して、アナログコンポジット映像信号を発生することを特徴とする。
【００３３】
請求項７記載の発明のアナログ信号合成回路は、複数のデジタル信号が入力される複数個の電流加算型の差動出力Ｄ/Ａコンバータと、前記複数個の電流加算型の差動出力Ｄ／Ａコンバータの正転出力端子同士又は反転出力端子同士が接続され、この接続点に接続された電流−電圧変換用の抵抗器及び反転又は正転増幅器とを備え、前記反転又は正転増幅器の出力端子が、前記複数のデジタル信号をアナログ合成したアナログ信号を出力するアナログ信号出力端子となることを特徴とする。
【００３４】
請求項８記載の発明のアナログ信号合成方法は、複数のデジタル信号を各々Ｄ／Ａ変換及び反転して複数の反転アナログ信号電流を生成し、その後、前記複数の反転アナログ信号電流を加算し、前記加算した後の電流を電流−電圧変換し、続いて反転増幅して、アナログ信号を発生することを特徴とする。
【００３５】
請求項９記載の発明のアナログ信号合成方法は、第１の反転アナログ信号電流と第２の反転アナログ信号電流とを加算合成し、その後、前記加算した後の電流を電流−電圧変換し、続いて反転増幅して、アナログ信号を発生することを特徴とする。
【００３６】
請求項１０記載の発明の半導体集積回路は、前記請求項１又は６記載のアナログ映像信号発生回路を備えたことを特徴とする。
【００３７】
請求項１１記載の発明の映像機器は、前記請求項１又は６記載のアナログ映像信号発生回路を備えたことを特徴とする。
【００３８】
以上により、請求項１〜１１記載の発明のアナログ映像信号発生回路等では、第１の電流加算型の差動出力Ｄ／Ａコンバータの反転出力端子からの例えば反転アナログ輝度信号（Ｙ信号）電流と、第２の電流加算型の差動出力Ｄ／Ａコンバータの反転出力端子からの例えば反転アナログクロマ信号（Ｃ信号）電流とが加算され、その後、その加算後の電流が電流−電圧変換器で電圧に変換され、反転又は正転増幅器で反転又は正転増幅されて、例えばアナログコンポジット信号（ＣＯＭＰ信号）が生成される。従って、高価な加算器を使用せずに済むと共に、電流加算型の２個の差動出力型Ｄ／Ａコンバータの反転出力端子からの電流、すなわち、従来の図５に示したシングルエンドの電流加算型のＤ／ＡコンバータのＧＮＤ端子からグランドに流していた電流を利用するので、Ｄ／Ａコンバータ内部で消費される電流は有効利用される。
【発明の効果】
【００３９】
以上説明したように、請求項１〜１１記載の発明のアナログ映像信号発生回路等によれば、加算器を使用することなく、且つ電流加算型のＤ／Ａコンバータから電流をＧＮＤ電源に流すことなく、複数のアナログ信号を合成できるので、部品コストを低減できると共に、電流加算型のＤ／Ａコンバータが流す電流を有効利用して、従来と同様の容量の電流加算型Ｄ／Ａコンバータを用いつつ低消費電力化を図ることができる。
【発明を実施するための最良の形態】
【００４０】
以下、本発明を実施するための最良の形態について、図面を参照しながら説明する。
【００４１】
（実施形態１）
図１は、本発明の実施形態１によるアナログ映像信号発生回路を示した図である。
【００４２】
図１において、第１のＤ／ＡコンバータＤＡＣ４は、差動出力タイプの電流加算型であり、デジタル入力端子ＤＹ０〜ＤＹｎ、及びアナログ正転出力端子ＤＡＯＵＴ４とアナログ反転出力端子ＮＤＡＯＵＴ４とを有している。
【００４３】
同様に、第２のＤ／ＡコンバータＤＡＣ５は、差動出力タイプの電流加算型であり、デジタル入力端子ＤＣ０〜ＤＣｎ、及びアナログ正転出力端子ＤＡＯＵＴ５とアナログ反転出力端子ＮＤＡＯＵＴ５とを有している。
【００４４】
前記第１のＤ／ＡコンバータＤＡＣ４のアナログ反転出力端子ＮＤＡＯＵＴ４と第２のＤ／ＡコンバータＤＡＣ５のアナログ反転出力端子ＮＤＡＯＵＴ５とは相互に接続されて、その接続点に、抵抗器より成る第１の電流−電圧変換器ＲＬ６がＧＮＤ電源との間に接続されると共に、反転増幅器ＡＭＰの入力端子が接続される。前記反転増幅器ＡＭＰの出力端子は、アナログ映像出力端子（第１の映像信号出力端子）ＣＯＭＰｏｕｔに接続される。
【００４５】
更に、前記第１のＤ／ＡコンバータＤＡＣ４において、アナログ正転出力端子ＤＡＯＵＴ４には、抵抗器より成る第２の電流−電圧変換器ＲＬ４がＧＮＤ電源との間に接続されると共に、アナログ映像信号出力端子（第２の映像信号出力端子）Ｙｏｕｔが接続されている。
【００４６】
同様に、前記第２のＤ／ＡコンバータＤＡＣ５において、アナログ正転出力端子ＤＡＯＵＴ５には、抵抗器より成る第３の電流−電圧変換器ＲＬ５がＧＮＤ電源との間に接続されると共に、アナログ映像信号出力端子（第３の映像信号出力端子）Ｃｏｕｔが接続されている。
【００４７】
以上のように構成された本実施形態に係るアナログ映像信号発生回路は、例えばテレビ、カーナビ、モニター、ビデオ機器やＤＶＤ装置又は次世代ＤＶＤ（Ｂｌｕ−ｒａｙ、ＨＤ ＤＶＤ等）装置に搭載される。以下、前記アナログ映像信号発生回路について、その動作を説明する。
【００４８】
先ず、デジタル入力端子ＤＹ０〜ＤＹｎには、デジタル映像信号であるデジタル輝度信号（Ｙ信号）（第１の映像信号）が入力され、第１のＤ／ＡコンバータＤＡＣ４でＤ／Ａ変換されて、アナログ正転出力端子ＤＡＯＵＴ４にアナログ輝度信号電流が出力される。アナログ輝度信号電流は、電流−電圧変換器である抵抗器ＲＬ４でアナログ輝度信号電圧に変換され、アナログ映像信号出力端子Ｙｏｕｔから出力される。
【００４９】
同様に、デジタル入力端子ＤＣ０〜ＤＣｎには、デジタル映像信号であるデジタルクロマ信号（Ｃ信号）（第２の映像信号）が入力され、第２のＤ／ＡコンバータＤＡＣ５でＤ／Ａ変換され、アナログ正転出力端子ＤＡＯＵＴ５にアナログクロマ信号電流が出力される。アナログクロマ信号電流は、電流−電圧変換器である抵抗器ＲＬ５でアナログクロマ信号電圧に変換され、アナログ映像信号出力端子Ｃｏｕｔから出力される。
【００５０】
同時に、Ｄ／ＡコンバータＤＡＣ４のアナログ反転出力端子ＮＤＡＯＵＴ４からは、アナログ輝度信号を反転した反転アナログ輝度信号電流が生成されて出力され、Ｄ／ＡコンバータＤＡＣ５のアナログ反転出力端子ＮＤＡＯＵＴ５からは、アナログクロマ信号を反転した反転アナログクロマ信号電流が生成されて出力される。２個のＤ／ＡコンバータＤＡＣ４、ＤＡＣ５のアナログ反転出力端子ＮＤＡＯＵＴ４、ＮＤＡＯＵＴ５同士は接続されているので、アナログ反転輝度信号電流とアナログ反転クロマ信号電流とは加算合成されて、アナログ反転コンポジット信号（合成映像信号）電流となり、電流−電圧変換器である抵抗器ＲＬ６でアナログ反転コンポジット信号電圧に変換され、ＡＭＰで反転増幅されて、アナログ映像信号出力端子ＣＯＭＰｏｕｔからアナログコンポジット信号として出力される。
【００５１】
そして、アナログ輝度信号とアナログクロマ信号とがペアで映像信号としてテレビ等の映像機器において映像を映し出すのに利用されると同時に、アナログコンポジット信号も、他のテレビ等の映像機器において映像を映し出すのに使用される。
【００５２】
以上のように、本実施形態に係るアナログ映像信号発生回路は、Ｄ／ＡコンバータＤＡＣ４、ＤＡＣ５で消費される電流を有効に利用しつつ、Ｙ信号及びＣ信号よりＣＯＭＰ信号を合成することができ、より安価に映像機器を実現することができる。
【００５３】
ここで、使用される電流加算型の差動出力Ｄ／ＡコンバータＤＡＣ４、ＤＡＣ５の一構成例を図２に示す。
【００５４】
図２は、電流加算型の差動出力Ｄ／ＡコンバータＤＡＣ４の例を示し、入力デジタル信号はデコーダＤＥＣＯＤＥＲでデコードされた後、ｍ＋１個の制御信号（Ｓ０、/Ｓ０）〜（Ｓｍ、/Ｓｍ）により複数の差動スイッチを制御することにより、ｍ＋１個の電流源ＩＳ０〜ＩＳｍの電流を正転出力端子ＤＡＯＵＴ４側に流すか、反転出力端子ＮＤＡＯＵＴ４側に流すかを切り替えている。正転出力端子ＤＡＯＵＴ４に電流が出力される場合には、電流は出力負荷抵抗器ＲＬ４で消費され、反転出力端子ＮＤＡＯＵＴ４に電流が出力される場合には、電流は出力負荷抵抗器ＲＬ６で消費され、何れの場合も、有効に利用される。
【００５５】
このように、本実施形態では、Ｄ／Ａコンバータで消費される電流を効率良く利用できるという効果も、同時に有する。
【００５６】
尚、以上の説明では、第１及び第２のＤ／ＡコンバータＤＡＣ４、ＤＡＣ５のアナログ反転出力端子ＮＤＡＯＵＴ４、ＮＤＡＯＵＴ５同士を接続したが、逆にアナログ正転出力端子ＤＡＯＵＴ４、ＤＡＯＵＴ５同士を接続しても良いのは勿論である。
【００５７】
更に、本実施形態では、Ｄ／Ａコンバータは、デジタル回路等を含めて、半導体集積回路３内に形成されているが、勿論、全ての回路を半導体集積回路３内に形成しても良い。
【００５８】
また、本実施形態では、反転増幅器ＡＭＰはゲインを持たない−１倍の増幅器としたが、１以外のゲインをもった反転増幅器としても良い。更に、反転増幅器ＡＭＰを正転増幅器としても良いのは言うまでもない。
【００５９】
更に、本実施形態では、２個の電流加算型の差動出力Ｄ／ＡコンバータＤＡＣ４、ＤＡＣ５を用いて、デジタル輝度信号（Ｙ信号）とデジタルクロマ信号（Ｃ信号）とをＤ／Ａ変換した後に加算合成してアナログ反転コンポジット信号を生成するアナログ映像信号発生回路について説明したが、本発明はこのような映像用のコンポジット信号の合成に限定されず、３個以上の電流加算型の差動出力Ｄ／Ａコンバータを用いて、３以上のデジタル信号をＤ／Ａ変換した後に加算合成してアナログ信号を生成するアナログ信号合成回路としても良いのは勿論である。
【産業上の利用可能性】
【００６０】
以上説明したように、本発明は、電流加算型Ｄ／Ａコンバータで消費される電流を有効に利用しつつ、複数のアナログ信号を合成した１つの信号を生成することができるので、部品コストを抑えて低価格で消費電力の小さいアナログ映像信号発生回路、半導体集積回路、及び映像機器等に適用して有用である。
【図面の簡単な説明】
【００６１】
【図１】本発明の実施形態１に係るアナログ映像信号発生回路を示す図である。
【図２】電流加算型の差動出力Ｄ／Ａコンバータの回路例を示す図である。
【図３】従来のアナログ映像信号発生回路を示す図である。
【図４】従来の他のアナログ映像信号発生回路を示す図である。
【図５】従来のシングルエンドの電流加算型Ｄ／Ａコンバータの回路例を示す図である。
【符号の説明】
【００６２】
３                               半導体集積回路
ＤＡＣ４、ＤＡＣ５                   電流加算型の差動出力Ｄ／Ａコンバータ
ＤＡＯＵＴ４、ＤＡＯＵＴ５             正転アナログ出力端子
ＮＤＡＯＵＴ４、ＮＤＡＯＵＴ５          反転アナログ出力端子
ＤＹ０〜ＤＹｎ                      デジタルＹ信号入力端子
ＤＣ０〜ＤＣｎ                      デジタルＣ信号入力端子
ＤＣＯＭＰ０〜ＤＣＯＭＰｎ            デジタルＣＯＭＰ信号入力端子
ＲＬ４〜ＲＬ６                       電流―電圧変換器
ＧＮＤ                            グランド電位
ＡＭＰ                            反転増幅器
Ｙｏｕｔ                            アナログＹ信号出力端子
Ｃｏｕｔ                            アナログＣ信号出力端子
ＣＯＭＰｏｕｔ                       アナログＣＯＭＰ信号出力端子
【手続補正３】
【補正対象書類名】図面
【補正対象項目名】全図
【補正方法】変更
【補正の内容】
【図１】
2008012955.tif 000008
【図２】
2008012955.tif 000009
【図３】
2008012955.tif 000010
【図４】
2008012955.tif 000011
【図５】
2008012955.tif 000012
【国際調査報告】
2008012955.tif 000013
2008012955.tif 000014